(57)【特許請求の範囲】
【請求項１】
１２０℃以上の高温下に試料（Ｓ）を置くための試験槽（１０）と、前記試験槽（１０）の上段に設置され上方から下方の前記試料（Ｓ）に光を照射するための光源（２１）を収容した光源室（２０）と、熱を遮断し且つ光を透過させるように前記試験槽（１０）と前記光源室（２０）とを仕切る仕切板（３０）とを具備し、前記仕切板（３０）が、空隙（ｇ）を挟んで設置された少なくとも二重の光透過板（３１，３２）を有し、前記試験槽（１０）に面した光透過板（３１）は、固定枠（３３）の支台（３４）に載せられているだけで容易に引き出すことが出来ることを特徴とする耐熱耐光性試験装置（１００）。
【請求項２】
請求項１に記載の耐熱耐光性試験装置（１００）において、前記空隙（ｇ）が３ｍｍ〜９ｍｍであることを特徴とする耐熱耐光性試験装置（１００）。
【請求項３】
請求項１または請求項２に記載の耐熱耐光性試験装置（１００）において、前記光源室（２０）に面した光透過板（３２）は、固定パッキン（３５）で固定枠（３３）に固定されており、取り外しにくいことを特徴とする耐熱耐光性試験装置（１００）。
【請求項４】
請求項１から請求項３のいずれかに記載の耐熱耐光性試験装置（１００）において、前記試験槽（１０）に面した光透過板（３１）は石英ガラスであり、前記光源室（２０）に面した光透過板（３２）は紫外線透過赤外線反射ガラスであることを特徴とする耐熱耐光性試験装置（１００）。
【請求項５】
請求項１から請求項４のいずれかに記載の耐熱耐光性試験装置（１００）において、前記光源室（２０）が、冷却のための外気導入手段を有することを特徴とする耐熱耐光性試験装置（１００）。
【発明の詳細な説明】
【技術分野】
【０００１】
この発明は、耐熱耐光性試験装置に関し、さらに詳しくは、１２０℃以上の高温下に置いた試料に光を照射して熱および光に対する耐久性を長期間安定的に試験することが出来る耐熱耐光性試験装置に関する。
【背景技術】
【０００２】
従来、定温下に試料を置くための試験槽と、試料に光を照射するための光源を収容した光源室と、熱を遮断し且つ光を透過させるように試験槽と光源室とを仕切る仕切板とを具備した耐候性試験機が公知である（例えば特許文献１参照。）。
【特許文献１】特開昭６２−２９７７４４号公報
【発明の開示】
【発明が解決しようとする課題】
【０００３】
上記従来の耐候性試験機では、試料温度を４０℃〜１００℃にすることが出来た（特許文献１の第１７頁第１３行参照）。
ところが、近年、小型・高ワットの照明器具の開発が進んだため、１２０℃以上の試料温度で耐光性試験を行う必要が生じた。
しかし、上記従来の耐候性試験機で試験槽の温度を１２０℃以上にすると、試験槽の熱が仕切板から光源室に伝わり、光源室が高温となって光源が損傷することがあった。
そこで、この発明の目的は、１２０℃以上の高温下に置いた試料に光を照射して熱および光に対する耐久性を長期間安定的に試験することが出来る耐熱耐光性試験装置を提供することにある。
【課題を解決するための手段】
【０００４】
第１の観点では、この発明は、１２０℃以上の高温下に試料（Ｓ）を置くための試験槽（１０）と、前記試料（Ｓ）に光を照射するための光源（２１）を収容した光源室（２０）と、熱を遮断し且つ光を透過させるように前記試験槽（１０）と前記光源室（２０）とを仕切る仕切板（３０）とを具備し、前記仕切板（３０）が、空隙（ｇ）を挟んで設置された少なくとも二重の光透過板（３１，３２）を有することを特徴とする耐熱耐光性試験装置（１００）を提供する。
上記第１の観点による耐熱耐光性試験装置（１００）では、熱を遮断し且つ光を透過させるように試験槽（１０）と光源室（２０）とを仕切る仕切板（３０）を、空隙（ｇ）を挟んで設置された少なくとも二重の光透過板（３１，３２）を有する構造とした。このような仕切板（３０）の構造により、試験槽（１０）の熱が仕切板（３０）から光源室（２０）に伝わることが抑制される。この結果、試験槽（１０）を１２０℃以上の高温にしても光源（２１）が損傷を受けず、１２０℃以上の高温下に置いた試料（Ｓ）の熱および光に対する耐久性を長期間安定的に試験することが出来る。
【０００５】
第２の観点では、この発明は、前記第１の観点による耐熱耐光性試験装置（１００）において、前記空隙（ｇ）が３ｍｍ〜９ｍｍであることを特徴とする耐熱耐光性試験装置（１００）を提供する。
上記第２の観点による耐熱耐光性試験装置（１００）では、空隙（ｇ）が３ｍｍ以上であるため、伝導による熱伝達を十分に抑制することが出来る。また、空隙（ｇ）が９ｍｍ以下であるため、対流による熱伝達を十分に抑制することが出来る。
【０００６】
第３の観点では、この発明は、前記第１または前記第２の観点による耐熱耐光性試験装置（１００）において、前記試験槽（１０）に面した光透過板（３１）は、前記光源室（２０）に面した光透過板（３２）よりも取り外し容易であることを特徴とする耐熱耐光性試験装置（１００）を提供する。
試験槽（１０）に面した光透過板（３１）は、試料（Ｓ）からの蒸散物などが付着して汚れやすい。一方、光源室（２０）に面した光透過板（３２）は、汚れにくい。つまり、試験槽（１０）に面した光透過板（３１）は交換もしくは洗浄のために取り外す頻度が高いが、光源室（２０）に面した光透過板（３２）は取り外す頻度が低い。
そこで、上記第３の観点による耐熱耐光性試験装置（１００）では、試験槽（１０）に面した光透過板（３１）を、光源室（２０）に面した光透過板（３２）よりも、取り外し容易とした。これにより、試験槽（１０）に面した光透過板（３１）は、交換もしくは洗浄のために容易に取り外すことが出来る。一方、光源室（２０）に面した光透過板（３２）は容易に外れないので、安全性が高くなる。
【０００７】
第４の観点では、この発明は、前記第１から前記第３のいずれかの観点による耐熱耐光性試験装置（１００）において、前記試験槽（１０）に面した光透過板（３１）は石英ガラスであり、前記光源室（２０）に面した光透過板（３２）は紫外線透過赤外線反射ガラスであることを特徴とする耐熱耐光性試験装置（１００）を提供する。
試験槽（１０）に面した光透過板（３１）は、試料（Ｓ）からの蒸散物などが付着して汚れやすい。一方、光源室（２０）に面した光透過板（３２）は、汚れにくい。つまり、試験槽（１０）に面した光透過板（３１）は交換もしくは洗浄のために取り外す頻度が高いが、光源室（２０）に面した光透過板（３２）は取り外す頻度が低い。そして、取り外す頻度が高いほど、誤って破損する可能性も高くなる。
そこで、上記第４の観点による耐熱耐光性試験装置（１００）では、試験槽（１０）に面した光透過板（３１）を安価な石英ガラスとし、光源室（２０）に面した光透過板（３２）を高価な紫外線透過赤外線反射ガラスとした。これにより、高価な紫外線透過赤外線反射ガラスを破損する危険を回避できる。なお、紫外線透過赤外線反射ガラスを用いることにより、輻射による熱伝達を抑制することが出来る。
【０００８】
第５の観点では、この発明は、前記第１から前記第４のいずれかの観点による耐熱耐光性試験装置（１００）において、前記光源室（２０）が、冷却のための外気導入手段を有することを特徴とする耐熱耐光性試験装置（１００）を提供する。
上記第５の観点による耐熱耐光性試験装置（１００）では、外気を光源室（２０）に導入することにより光源室（２０）内の温度上昇をより抑制することが出来る。
【発明の効果】
【０００９】
この発明の耐熱耐光性試験装置（１００）によれば、１２０℃以上の高温下での試料（Ｓ）の耐熱性および耐光性の試験を長期間安定的に行うことが出来る。
【発明を実施するための最良の形態】
【００１０】
以下、図に示す実施例によりこの発明をさらに詳細に説明する。なお、これによりこの発明が限定されるものではない。
【実施例１】
【００１１】
図１は、実施例１に係る耐熱耐光性試験装置１００の構成説明図である。
この耐熱耐光性試験装置１００は、試験槽１０と、光源室２０と、仕切板３０とを具備している。
【００１２】
試験槽１０は、内部を１２０℃以上の高温にするための温調器１１と、試料Ｓを置くための載置台１２とを有している。
【００１３】
光源室２０は、試料Ｓに光を照射するための光源２１と、反射板２２とを有している。また、冷却のための外気を導入するための導入孔および暖められた空気を排出するための排気孔を有している。
光源１は、紫外線と可視光線を透過する水冷型フィルターを含むメタルハライドランプである。
【００１４】
図２に示すように、仕切板３０は、試験槽１０に面した試料側光透過板３１と、光源室２０に面した光源側光透過板３２とを有している。試料側光透過板３１は、固定枠３３の支台３４に載せられているだけであり、図示せぬ扉を開けて容易に引き出すことが出来る。一方、光源側光透過板３２は、固定パッキン３５で固定枠３３に固定されており、取り外しにくくなっている。
試料側光透過板３１は、石英ガラスである。光源側光透過板３２は、紫外線透過赤外線反射ガラスである。
【００１５】
試料側光透過板３１と光源側光透過板３２の間には、空隙ｇがある。空隙ｇは３ｍｍ〜９ｍｍである。
【００１６】
実施例１の耐熱耐光性試験装置１００によれば、次の効果が得られる。
（１）仕切板３０の二重ガラス構造により、試験槽１０の熱が仕切板３０を介して光源室２０に伝わることが抑制され、試験槽１０を１２０℃以上の高温にしても光源２１が損傷を受けず、１２０℃以上の高温下に置いた試料Ｓの熱および光に対する耐久性を長期間安定的に試験することが出来る、
（２）空隙ｇが３ｍｍ以上であるため、伝導による熱伝達を十分に抑制することが出来る。また、空隙ｇが９ｍｍ以下であるため、対流による熱伝達を十分に抑制することが出来る。
（３）試料側光透過板３１は、交換もしくは洗浄のために容易に取り外すことが出来る。一方、光源側光透過板３２は容易に外れないので、安全性が高くなる。
（４）試料側光透過板３１は、安価な石英ガラスなので、交換コストを抑制できる。一方光源側光透過板３２は紫外線透過赤外線反射ガラスなので、輻射による熱伝達を抑制することが出来る。
（５）外気を光源室２０に導入することにより光源室２０内の温度上昇を抑制することが出来る。
【実施例２】
【００１７】
仕切板３０を三重以上の多重ガラス構造としてもよい。
【産業上の利用可能性】
【００１８】
この発明の耐熱耐光性試験装置は、小型・高ワットの照明器具に使用される反射部材などの耐熱性および耐光性の試験に利用できる。
【図面の簡単な説明】
【００１９】
【図１】実施例１に係る耐熱耐光性試験装置を示す構成説明図である。
【図２】実施例１に係る耐熱耐光性試験装置の仕切板を示す断面図である。
【符号の説明】
【００２０】
１０              試験槽
２０              光源室
３０              仕切板
３１              試料側光透過板
３２              光源側光透過板
１００            耐熱耐光性試験装置
ｇ                空隙
【図１】
0004744315.tif 000002
【図２】
0004744315.tif 000003